(57)【要約】【課題】簡易な構造で、作業性を向上させることのできる、太陽光パネル取付金具を提供する。【解決手段】太陽光パネル取付金具１は、屋根に載置固定する基台部材４０と、基台部材１０にスライド固定され、太陽光パネルＳを挿着固定する取付部材１０とを備える。取付部材１０は、基板部の上部に内側に向かって凹状に対向する一対の第１スリット状凹部を形成し、基板部の下部に第1スリット状凹部と直交する方向に内側に向かって凹状に対向する一対の第２スリット状凹部を形成し、第１スリット状凹部に、太陽光パネルの端部を挿着し、第２スリット状凹部を、基台部材４０の上部に形成された板状の鍔部にスライド固定する。【選択図】図１
2015151776.tif 000002
【特許請求の範囲】
【請求項１】
建物の屋根に太陽光パネルを取り付けるための太陽光パネル取付金具であって、
該太陽光パネル取付金具は、前記屋根に載置固定する基台部材と、該基台部材にスライド固定され、太陽光パネルを挿着固定する取付部材と、を備えることを特徴とする太陽光パネル取付金具。
【請求項２】
前記取付部材は、基板部の上部に内側に向かって凹状に対向する一対の第１スリット状凹部を形成し、前記基板部の下部に第1スリット状凹部と直交又は平行する方向に内側に向かって凹状に対向する一対の第２スリット状凹部を形成し、
前記第１スリット状凹部に、太陽光パネルの端部を挿着し、
前記第２スリット状凹部を、前記基台部材の上部に形成された板状の鍔部にスライド固定する請求項1に記載の太陽光パネル取付金具。
【請求項３】
前記屋根が、ハゼ式折板屋根の場合において、前記基台部材は、該ハゼ式折板屋根の上底に載置する角筒状体からなり、該基台部材の内部に弾性体を更に備え、
前記上底に形成されたハゼ部を前記弾性体により囲繞し、前記基台部材で該弾性体を押圧挟持することにより、前記基台部材を該ハゼ部に固定する請求項１又は２に記載の太陽光パネル取付金具。
【請求項４】
前記基台部材の前記ハゼ部に対して平行に立設した一対の側板内部に、内側下方に向かって傾斜した一対の斜板を更に備え、前記押圧挟持を補助する請求項３に記載の太陽光パネル取付金具。
【請求項５】
前記屋根が、重ね式折板屋根の場合において、前記基台部材は、該基台部材の底板を該重ね式折板屋根の上底に載置する立設体からなり、前記底板を、前記重ね式折板屋根の上底から突出した固定部材を介して、該上底に固定する請求項１又は２に記載の太陽光パネル取付金具。
【請求項６】
前記屋根が、重ね式折板屋根の場合において、前記基台部材は、上方に開口し、上部に鍔部を備える樋状の長尺体からなり、該重ね式折板屋根の上底に前記基台部材の底板を固定する請求項１又は２に記載の太陽光パネル取付金具。
【請求項７】
前記屋根が、ハゼ式折板屋根の場合において、前記基台部材は、外包部材と、該外包部材が包接する内包部材と、からなり、
前記外包部材は、外包上板と、
該外包上板の一端から下方に延設し、外方から水平に切り欠いた一対の第１スリットを有する長側板と、該長側板下端から内側に連結した底板と、該長側板と対向して該底板の端から立設した第１ハゼ部固定板と、からなる第１ハゼ固定部と、
該外包上板の他端から下方に延設し、下端部に内方に向かって突出した一対の第２スリット用嵌合片を有する短側板と、からなり、
前記内包部材は、内包上板と、
該内包上板の一端から下方に延設し、外方から水平に切り欠いた一対の第２スリットを有する長側板と、該長側板下端から内側に連結した底板と、該長側板と対向して該底板の端から立設した第２ハゼ部固定板と、からなる第２ハゼ固定部と、
該内包上板の他端から下方に延設し、下端部に外方に向かって突出した一対の第１スリット用嵌合片を有する短側板と、からなり、
前記外包部材が、前記内包部材を包接して、前記一対の第１スリット用嵌合片を、前記一対の第１スリットに嵌着し、前記一対の第２スリット用嵌合片を、前記一対の第２スリットに嵌着して、第１ハゼ固定部と、第２ハゼ固定部によりハゼ部を押圧挟持して固定する請求項１又は２に記載の太陽光パネル取付金具。
【請求項８】
前記第１ハゼ部固定板及び前記第２ハゼ部固定板の上端部が、波形状又は鋸歯状に形成され、ハゼ部の頭部に該上端部が下方から咬止する請求項７に記載の太陽光パネル取付金具。
【請求項９】
前記鍔部又は前記第２スリット状凹部のいずれか一方に係合凹部、他方に係合凸部を備え、前記係合凹部と前記係合凸部とが係合し、ロックされる請求項２乃至８のうちのいずれか１項に記載の太陽光パネル取付金具。
【発明の詳細な説明】
【技術分野】
【０００１】
本発明は、太陽光パネル取付金具に関する。更に詳しくは、太陽光パネルを屋根上に設置するに際し、簡易な構造で、作業性を向上させることのできる、太陽光パネル取付金具に関する。
【背景技術】
【０００２】
従来、図１２に示すようなハゼ式折屋根８０に、太陽光パネルＳを取付けるには、例えば、上底８１に固定金具９５を固定し、この固定金具９５に一対の長尺のベース材９６を固定する。そして、このベース材９６に架台９７を固定して、その架台９７に太陽光パネルＳを固定する。太陽光パネルを用いて実際に電力供給に役立てようとすると、相当数の太陽光パネルを屋根に取り付ける必要があり、それに伴い、数多くの固定部材が必要となる。更に、それらの固定には、ボルトなどの固着具が大量に使用されることになる。
【０００３】
ここで、作業性を向上させることのできる、太陽光パネル取付金具が提案されている（例えば、特許文献１参照。）。
特許文献１に記載の太陽光パネル取付金具は、一方のソーラーパネルに取り付けられる支持金具と、他方のソーラーパネルに設けられる挿入部材とを備える。そして、支持金具は、架台上に取り付けられるベース部と弾力的に折り曲げられてベース部上方に位置する対面部とを備え、ベース部と対面部との間に、一方のソーラーパネルの端部と、他方のソーラーパネルの端部が固定される挿入部材が差込まれることによって、挿入空間部が形成され、この挿入空間部に、一方の端部と、挿入部材はベース部と対面部に挟まれて一緒に弾力的に保持される。
そのため、太陽光パネルと取付金具を固定するための固着具が少なく、作業性に優れている。
【先行技術文献】
【特許文献】
【０００４】
【特許文献１】特開２０１３−１５９９７１号公報
【発明の概要】
【発明が解決しようとする課題】
【０００５】
しかし、上記取付金具は、架台上に取り付けるものであり、架台と取付金具を固定するには依然として、ボルトなどの固着具が必要である。
【０００６】
本発明はかかる従来の問題点に鑑みてなされたものであり、簡易な構造で、作業性を向上させることのできる、太陽光パネル取付金具を提供することを目的とする。
【課題を解決するための手段】
【０００７】
上記の課題を解決するための本発明は以下の通りである。
１．建物の屋根に太陽光パネルを取り付けるための太陽光パネル取付金具であって、
該太陽光パネル取付金具は、前記屋根に載置固定する基台部材と、該基台部材にスライド固定され、太陽光パネルを挿着固定する取付部材と、を備えることを特徴とする太陽光パネル取付金具。
２．前記取付部材は、基板部の上部に内側に向かって凹状に対向する一対の第１スリット状凹部を形成し、前記基板部の下部に第1スリット状凹部と直交又は平行する方向に内側に向かって凹状に対向する一対の第２スリット状凹部を形成し、
前記第１スリット状凹部に、太陽光パネルの端部を挿着し、
前記第２スリット状凹部を、前記基台部材の上部に形成された板状の鍔部にスライド固定する１．に記載の太陽光パネル取付金具。
３．前記屋根が、ハゼ式折板屋根の場合において、前記基台部材は、該ハゼ式折板屋根の上底に載置固定する角筒状体からなり、該基台部材の内部に弾性体を更に備え、
前記上底に形成されたハゼ部を前記弾性体により囲繞し、前記基台部材で該弾性体を押圧挟持することにより、前記基台部材を該ハゼ部に固定する請求項１又は２に記載の太陽光パネル取付金具。
４．前記基台部材の前記ハゼ部に対して平行に立設した一対の側板内部に、内側下方に向かって傾斜した一対の斜板を更に備え、前記押圧挟持を補助する３．に記載の太陽光パネル取付金具。
５．前記屋根が、重ね式折板屋根の場合において、前記基台部材は、該基台部材の底板を該重ね式折板屋根の上底に載置する立設体からなり、前記底板を、前記重ね式折板屋根の上底から突出した固定部材を介して、該上底に固定する１．又は２．に記載の太陽光パネル取付金具。
６．前記屋根が、重ね式折板屋根の場合において、前記基台部材は、上方に開口し、上部に鍔部を備える樋状の長尺体からなり、該重ね式折板屋根の上底に前記基台部材の底板を固定する１．又は２．に記載の太陽光パネル取付金具。
７．前記屋根が、ハゼ式折板屋根の場合において、前記基台部材は、外包部材と、該外包部材が包接する内包部材と、からなり、
前記外包部材は、外包上板と、
該外包上板の一端から下方に延設し、外方から水平に切り欠いた一対の第１スリットを有する長側板と、該長側板下端から内側に連結した底板と、該長側板と対向して該底板の端から立設した第１ハゼ部固定板と、からなる第１ハゼ固定部と、
該外包上板の他端から下方に延設し、下端部に内方に向かって突出した一対の第２スリット用嵌合片を有する短側板と、からなり、
前記内包部材は、内包上板と、
該内包上板の一端から下方に延設し、外方から水平に切り欠いた一対の第２スリットを有する長側板と、該長側板下端から内側に連結した底板と、該長側板と対向して該底板の端から立設した第２ハゼ部固定板と、からなる第２ハゼ固定部と、
該内包上板の他端から下方に延設し、下端部に外方に向かって突出した一対の第１スリット用嵌合片を有する短側板と、からなり、
前記外包部材が、前記内包部材を包接して、前記一対の第１スリット用嵌合片を、前記一対の第１スリットに嵌着し、前記一対の第２スリット用嵌合片を、前記一対の第２スリットに嵌着して、第１ハゼ固定部と、第２ハゼ固定部によりハゼ部を押圧挟持して固定する１．又は２．に記載の太陽光パネル取付金具。
８．前記第１ハゼ部固定板及び前記第２ハゼ部固定板の上端部が、波形状又は鋸歯状に形成され、ハゼ部の頭部に該上端部が下方から咬止する７．に記載の太陽光パネル取付金具。
９．前記鍔部又は前記第２スリット状凹部のいずれか一方に係合凹部、他方に係合凸部を備え、前記係合凹部と前記係合凸部とが係合し、ロックされる２．乃至８．のうちのいずれか１項に記載の太陽光パネル取付金具。 
【発明の効果】
【０００８】
請求項１の発明は、屋根に載置固定する基台部材と、基台部材にスライド固定され、太陽光パネルを挿着固定する取付部材と、を備えるため、太陽光パネルを屋根に固定する上で、簡易な構造で、作業性を向上させることができる。
請求項２の発明は、取付部材が、基板部の上部に内側に向かって凹状に対向する一対の第１スリット状凹部を形成し、基板部の下部に第1スリット状凹部と直交又は平行する方向に内側に向かって凹状に対向する一対の第２スリット状凹部を形成し、第１スリット状凹部に、太陽光パネルの端部を挿着し、第２スリット状凹部を、基台部材の上部に形成された板状の鍔部にスライド固定するため、ボルト、ナットなどの固着具を使用することなく、太陽光パネルを基台部材に取付けることができる。
請求項３の発明は、請求項１又は２において、ハゼ式折板屋根の場合、基台部材が、ハゼ式折板屋根の上底に載置固定する角筒状体からなり、基台部材の内部に弾性体を更に備え、上底に形成されたハゼ部を弾性体により囲繞し、基台部材で弾性体を押圧挟持することにより、基台部材をハゼ部に固定するため、基台部材を折板屋根に固定するに際しても、ボルト、ナットなどの固着具を使用することなく、基台部材を屋根に取付けることができる。
請求項４の発明は、請求項３において、基台部材のハゼ部に対して平行に立設した一対の側板内部に、内側下方に向かって傾斜した一対の斜板を更に備えるため、弾性体の押圧挟持を補助し、更に確実に基台部材をハゼ部に固定することができる。
請求項５の発明は、請求項１又は２において、前記屋根が、重ね式折板屋根の場合において、基台部材が、基台部材の底板を重ね式折板屋根の上底に載置する立設体からなり、底板を、重ね式折板屋根の上底から突出した固定部材を介して、上底に固定するため、固定部材を利用して基台部材が固定でき、作業性に優れた取付ができる。
請求項６の発明は、請求項１又は２において、重ね式折板屋根の場合、基台部材は、上方に開口し、上部に鍔部を備える樋状の長尺体からなり、重ね式折板屋根の上底に基台部材の底板を固定するものであるため、太陽光パネルの大きさに拘わらず、基台部材の任意の位置に取付部材を固定することができる。
請求項７の発明は、ハゼ式折板屋根の場合において、基台部材は、外包部材と、内包部材との組み合わせから構成され、外包部材は、外包上板と、一対の第１スリットを有する長側板と、底板と、第１ハゼ部固定板と、からなる第１ハゼ固定部と、一対の第２スリット用嵌合片を有する短側板と、からなり、内包部材は、内包上板と、一対の第２スリットを有する長側板と、底板と、第２ハゼ部固定板と、からなる第２ハゼ固定部と、一対の第１スリット用嵌合片を有する短側板と、からなり、外包部材が、内包部材を包接して、一対の第１スリット用嵌合片を、一対の第１スリットに嵌着し、一対の第２スリット用嵌合片を、一対の第２スリットに嵌着することによって形成されるため、ボルト、ナットなどの固着具を使用することなく、基台部材を屋根に取付けることができる。
請求項８の発明は、請求項７において、ハゼ部固定板及び第２ハゼ部固定板の上端部が、波形状又は鋸歯状であるため、ハゼ部の頭部に、この上端部が下方から咬止するため、更に確実に基台部材を屋根に取付けることができる。
請求項９の発明は、請求項２乃至８のうちのいずれか１項において、鍔部又は第２スリット状凹部のいずれか一方に係合凹部、他方に係合凸部を備え、係合凹部と係合凸部とが係合し、ロックされる構造であるため、更に確実に取付部材を基台部材に固定することができる。
【図面の簡単な説明】
【０００９】
【図１】実施形態１の太陽光パネル取付金具に係り、はぜ式折板屋根に太陽光パネルを取り付けた状態を示す斜視図である。
【図２】実施形態１の太陽光パネル取付金具に係り、はぜ式折板屋根のハゼ部に弾性体を装着した状態を示す斜視図である。
【図３】実施形態１の太陽光パネル取付金具に係り、（ａ）ハゼ部に弾性体を取付ける前の状態、（ｂ）ハゼ部に弾性体を装着した状態、（ｃ）更に、立設体で弾性体を押圧挟持した状態を示す模式断面図である。
【図４】実施形態１の太陽光パネル取付金具に係り、立設体で弾性体を押圧挟持した後、取付部材を取付ける前の状態を示す斜視図である。
【図５】実施形態１の太陽光パネル取付金具に係り、太陽光パネルを取り付ける状態を示す斜視図である。
【図６】実施形態１の太陽光パネル取付金具に係り、ハゼ式折板屋根に太陽光パネルを取り付けた状態を示す斜視図である。
【図７】実施形態２の太陽光パネル取付金具に係り、立設体で弾性体を押圧挟持した後、他例の取付部材を取付ける前の状態を示す斜視図である。
【図８】実施形態３の太陽光パネル取付金具に係り、重ね式折板屋根に載置固定する基台部材を示す斜視図である。
【図９】実施形態４の太陽光パネル取付金具に係り、重ね式折板用屋根に載置固定する長尺状の基台部材を示す斜視図である。
【図１０】実施形態５の太陽光パネル取付金具に係り、はぜ式折板屋根に載置固定する基台部材を示す斜視図である。
【図１１】実施形態５の太陽光パネル取付金具を構成する外包部材と内包部材を示す斜視図である。
【図１２】ハゼ式折板屋根への従来の太陽光パネルの取付例を示す斜視図である。
【発明を実施するための形態】
【００１０】
以下、本発明を具体化した実施例を挙げて、本発明を更に具体的に説明する。
［実施形態１］
太陽光パネル取付金具１は、図１に示すように、屋根に載置固定する基台部材４０と、基台部材４０にスライド固定され、太陽光パネルＳを挿着固定する取付部材１０と、を備えている。
取付部材１０は、図４に示すように、基板部１５の上部に内側に向かって凹状に対向する一対の第１スリット状凹部１１を形成し、基板部１５の下部に第1スリット状凹部１１と直交する方向に内側に向かって凹状に対向する一対の第２スリット状凹部１２を形成している。
【００１１】
そして、太陽光パネルＳの取付に際しては、第１スリット状凹部１１に、太陽光パネルの端部Ｓａを挿着し、第２スリット状凹部１２を、基台部材４０の上部に形成された板状の鍔部４１にスライド固定する。
取付部材１０を製作する方法は特に限定はないが、例えば、１枚の矩形の基板部１５形成用の板の４隅を切断した後、対向する一対の端縁部を上部に折り曲げて上対面板１１ａを形成し、他方の対向する一対の端縁部を下部に折り曲げて下対面板１１ａを形成することができる。こうすることで、上対面板１１ａと基板部１５との隙間が第１スリット状凹部１１となり、基板部１５と下対面板１２ａとの隙間が第２スリット状凹部１２となる。
【００１２】
また、第２スリット状凹部１２は、その端縁部の一端側を塞ぐ係止片（不図示）を備えることもできる。この係止片を備えた側を、屋根の上部側となるように基台部材４０の鍔部４１にスライド固定することによって、取付部材１０が脱落するのを確実に防止することができる。
更に、第２スリット状凹部１２を長手方向に次第に広がる形状とし、これと対応する基台部材４０の鍔部４１の形状を次第に肉厚が増すテーパ形状とすることもできる。この第２スリット状凹部１２の窄まる側を、屋根の上側となるようにして、テーパ形状の鍔部４１にスライド固定することによっても、取付部材１０が脱落するのを確実に防止することができる。
【００１３】
基台部材４０は、ハゼ式折板屋根の上底８１に載置固定することができ、取付部材がスライド固定することができれば、特に限定はないが、図２に示すように、角筒状体からなることが好ましい。基台部材４０は、ハゼ部８５が挿通する挿通孔４４を有する前後板４５と、これらと直交する側板４３を備えている。そして、上部には、板状の鍔部４１が形成されている。また、基台部材４０には、載置鍔部４９を設けて基台部材４０の安定化を図っている。
【００１４】
また、基台部材４０は、上方に開口しているが、鍔部４１と面一の平板で覆閉されていてもよい。更に、鍔部４１と一体に形成された平板によって覆閉されていてもよい。
更に、図４に示すように、板状の鍔部４１には、係合凹部（切欠き）４１ａが設けられ、スライド固定される取付部材１０の第２スリット部を形成する上対面板１２ａの上部に係合凸部が設けられていることが好ましい。こうすることで、
係合凹部４１ａと係合凸部１２ｂが係合してロックされ、より確実に取付部材１０を基台部材４０に固定することができる。
なお、鍔部４１に係合凸部を設け、取付部材１０の上対面板１２ａの上部に係合凹部を設ける構成としてもよい。
【００１５】
そして、図２に示すように、基台部材４０の内部に弾性体４８を更に備え、上底８１に形成されたハゼ部８５を弾性体４８により囲繞し、基台部材４０で弾性体４８を押圧挟持することにより、基台部材４０をハゼ部８５に固定する。
弾性体は、ハゼ部８５を囲繞して基台部材により押圧挟持されるものであれば特に限定はないが、図２に示す弾性体４８のような板バネであることが好ましい。
【００１６】
こうであれば、図３（ａ）に示すように、弾性体４８を拡張して、ハゼ部８５の頭部８５ａに対して上方から差し込み、図３（ｂ）に示すように、ハゼ部全体を弾性体４８で囲繞する。そして、図３（ｃ）に示すように、筒状体の基台部材で押圧して、弾性体４８の立設片４８ｂでハゼ部８５の首部８５ｂを挟持することができる。そして、頭部８５ａの付け根８５ｃを立設片４８ｂで付勢して押止することで、確実にハゼ部８５に弾性体４８を固定することができる。
【００１７】
更に、図３（ｃ）に示すように、基台部材４０のハゼ部８５に対して平行に立設した一対の側板４３内部に、内側下方に向かって傾斜した一対の斜板４７を更に備えている場合には、押圧挟持を更に確実なものとすることができると共に、弾性体４８が脱離するのを防ぐことができる。
この斜板４７は、側板４３の内部に、別体に設けてもよいが、図２に示すように、側板４３の底部及び側部の一部を切断して内部に折り曲げ加工することによって形成することもできる。
【００１８】
更に、この基台部材４０は、１枚の平板を折り曲げ形成して製作することもできる。すなわち、図２に示すように、１枚の平板を折り曲げ形成して筒状体を形成（側部１箇所を溶接等で固着）し、上部に板状の鍔部４１、下部に載置鍔部４９を直角に折り曲げて形成することができる。
【００１９】
（太陽光パネルの取付方法）
ハゼ部８５に固定された基台部４０に対して、太陽光パネルＳ１を取付けるには、図５に示すように、取付部材１０の第１スリット状凹部１１Ａに太陽光パネルＳ１の端部Ｓａを挿着する。そして、取付部材１０を矢印方向に引き寄せ、第２スリット状凹部１２を基台部材４０の鍔部４１にスライド固定する。その際、鍔部４１の係合凹部４１ａに取付部材１０の第２スリット部１２の係合凸部１２ｂが係合して、ロックされることになる。
【００２０】
次いで、その下方に次の太陽光パネルＳ２の端部（上端部）を第１スリット状凹部１１Ｂに挿着し、更に、同様に端部（下端部）を次の取付部材１０の第１スリット状凹部１１Ａに挿着して、取付部材１０を矢印方向に引っ張り、第２スリット状凹部１２を次の基台部材４０の鍔部４１にスライド固定する。
そうすることで、図６に示すように、屋根に太陽光パネルＳ１、Ｓ２を取付けることができる。
【００２１】
［実施形態２］
太陽光パネル取付金具２は、図７に示すように、屋根８０に載置固定する基台部材４０と、基台部材４０にスライド固定され、太陽光パネルＳを挿着固定する取付部材２０と、からなる。
取付部材２０は、上部に内側に向かって凹状に対向する一対の第１スリット状凹部２１を形成し、下部に第1スリット状凹部と平行する方向に内側に向かって凹状に対向する一対の第２スリット状凹部２２を形成している。そして、第１スリット状凹部２１に、太陽光パネルの端部Ｓａを挿着し、第２スリット状凹部２２を、基台部材４０の上部に形成された板状の鍔部４１にスライド固定する。そのため、ボルト、ナットなどの固着具を使用することなく、太陽光パネルＳを基台部材４０に取付けることができる。
【００２２】
取付部材２０は、取付部材１０と異なり、上部の第１スリット状凹部と下部の第２スリット状凹部が平行する方向に形成されている。こうすることで、図７に示すように、太陽光パネルＳの端部Ｓａを屋根の左右方向へ挿着することができる。
その他の構成及び作用効果、太陽光パネルＳの取付方法については、実施形態１と同様であるため、その説明を省略する。
【００２３】
［実施形態３］
太陽光パネル取付金具３は、図８に示すように、屋根８０に載置固定する基台部材５０と、基台部材５０にスライド固定され、太陽光パネルＳを挿着固定する取付部材１０と、からなる。
太陽光パネル取付金具３は、重ね式折板屋根への取付に適している。すなわち、基台部材５０は、基台部材５０の底板５９を重ね式折板屋根の上底に載置する立設体からなる。そして、底板５９を重ね式折板屋根の上底から突出した固定部材（ボルト）８８を介して、上底に固着具（ナット）８３で固定することができる。
なお、固定部材への固定は、固着具に限定されず溶接等によって固定してもよい。
基台部材５０の底板５９は、重ね式折板屋根の傾斜面に沿った一対の傾斜板５７を備えている。こうすることで、更に安定して基台部材５０を重ね式折板屋根に取り付けることができる。更に、傾斜板５７の孔部５７ａに挿通する固着具を取付けて、折板屋根との固定を確実なものとすることもできる。
【００２４】
また、側板５３の両側部には一対の袖板５５を備えており、補強材としての役割を果たすと共に、底板５９に溜った雨水が排出されやすい構造となっている。
そして、鍔部５１には、下方に突出する係合凸部５１ａが設けられ、取付部材１０の下対面板１２ａの上部に設けた係合凹部（不図示）と係合して確実に固定することができる。
【００２５】
更に、この基台部材５０は、１枚の板を折り曲げ形成して製作することもできる。すなわち、図８に示すように、底板５９を基板とする１枚の平板を上部内側に直角に折り曲げて一対の側板５３を立設し、更に側板５３の上部を外側に直角に折り曲げて鍔部５１を形成する。そして、側板５３の両側部を内側４５度程度折り曲げると、底板５９の上部が出来上がる。そして、底板５９の両側を下方に折り曲げて傾斜板５７とすることができる。
その他の構成及び作用効果、太陽光パネルＳの取付方法については、実施形態１と同様であるため、その説明を省略する。
【００２６】
［実施形態４］
太陽光パネル取付金具４は、図９に示すように、屋根に載置固定する基台部材６０と、基台部材６０にスライド固定され、太陽光パネルＳを挿着固定する取付部材１０と、からなる。
太陽光パネル取付金具４は、重ね式折板屋根への取付に適している。すなわち、基台部材６０は、上方に開口し、上部に鍔部６１、６２を備える樋状の長尺体からなり、重ね式折板屋根の上底に基台部材の底板６５を固定する。すなわち、底板６５を重ね式折板屋根の上底から突出した固定部材（ボルト）８８を介して、上底に固着具（ナット）８３で固定することができる。なお、固定部材への固定は、固着具に限定されず溶接等によって固定してもよい。
【００２７】
取付部材１０を基台部材６０に固定するには、切欠部６５から水平に鍔部６１に一方の第２スリット状凹部１２を鍔部６１に挿着し、次いで、基台部材６０の長尺方向にスライドしながら、他方の第２スリット状凹部１２を鍔部６２に挿着する。そして、更に長尺方向にスライドしていき、係合凹部６１ａ、６２ａに取付部材１０の第２スリット状凹部１２の係合凸部１２ｂが係合して、ロックされる。
この太陽光パネル取付金具４は、基台部材６０が長尺状であるため、基台部材６０に対する取付部材１０の取付位置を自在に決めることができる。
なお、取付部材２０を用いて、太陽光パネルの取り付け方向を、直角方向に変更することもできる。取付部材２０の基台部材６０への固定も、取付部材１０の基台部材４０への固定と同様であるため、その説明を省略する。
その他の構成及び作用効果、太陽光パネルＳの取付方法については、実施形態１と同様であるため、その説明を省略する。
【００２８】
［実施形態５］
太陽光パネル取付金具５は、図１０に示すように、屋根に載置固定する基台部材７０と、基台部材７０にスライド固定され、太陽光パネルＳを挿着固定する取付部材１０と、からなる。
基台部材７０は、図１１に示すように、外包部材７０Ａと、外包部材７０Ａが包接する内包部材７０Ｂと、からなる。
外包部材７０Ａは、外包上板７１と、外包上板７１の一端から下方に延設し、外方から水平に切り欠いた一対の第１スリット７３ａを有する長側板７３と、長側板７３下端から内側に連結した底板７１ｂと、長側板７３と対向して底板７１ｂの端から立設したハゼ部固定板７５と、からなる第１ハゼ固定部と、
外包上板７１の他端から下方に延設し、下端部に内方に向かって突出した一対の第２スリット用嵌合片７４ａを有する短側板７４と、からなる。
【００２９】
内包部材７０Ｂは、内包上板７６と、内包上板７６の一端から下方に延設し、外方から水平に切り欠いた一対の第２スリット７８ａを有する長側板７８と、長側板７８下端から内側に連結した底板７６ｂと、長側板７８と対向して底板７６ｂの端から立設した第２ハゼ部固定板７９と、からなる第２ハゼ固定部と、
内包上板７６の他端から下方に延設し、下端部に外方に向かって突出した一対の第１スリット用嵌合片７７ａを有する短側板７７と、からなる。
【００３０】
以上の構成をした外包部材７０Ａと、内包部材７０Ｂとから基台部材７０を組み立てるには、外包部材７０Ａが、内包部材７０Ｂを包接するようにし、一対の第１スリット用嵌合片７７ａを、一対の第１スリット７３ａに嵌着し、一対の第２スリット用嵌合片７４ａを、一対の第２スリット７８ａに嵌着して、図１０に示すように、第１ハゼ部固定板７５と、第２ハゼ部固定板７９によりハゼ部８５を押圧挟持して固定する。より具体的には、ハゼ部８５のうちの首部８５ｂを第１ハゼ固定部７５と、第２ハゼ固定部７９の側面で挟持すると共に、ハゼ部８５の頭部８５ａを、下方から鋸歯状の上端部７５ａ、７９ａで咬止する。
【００３１】
基台部材７０に取付部材１０を取付けるには、取付部材１０を矢印方向に引き寄せ、第２スリット部１２を基台部材７０の鍔部７１ｂにスライド固定する。その際、鍔部７１ｂの係合凹部７１ａに取付部材１０の第２スリット部１２の係合凸部１２ｂが係合して、ロックされる。
その他の構成及び作用効果、太陽光パネルＳの取付方法については、実施形態１と同様であるため、その説明を省略する。
【符号の説明】
【００３２】
１、２、３、４；太陽光パネル取付金具、１０、２０；取付部材、１１；第１スリット状凹部、１２；第２スリット状凹部、１２ｂ、５１ａ；係合凸部、１５；基板部、４０、５０、６０、７０；基台部材、４１、５１、６１、７１ｂ；鍔部、４１ａ、６１ａ、７１ａ；係合凹部、４３；側板、４７；斜板、４８；弾性体、５９、６５、７１ｂ、７６ｂ、；底板、７０Ａ；外包部材、７０Ｂ；内包部材、７１；外包上板、７３、７８；長側板、７３ａ；第１スリット、７４、７７；短側板、７４ａ；第２スリット用嵌合片、７５；第１ハゼ部固定板、７５ａ、７９ａ；上端部、７６；内包上板、７７ａ；第１スリット用嵌合片、７８ａ；第２スリット、７９；第２ハゼ部固定板、８１；上底、８５；ハゼ部、８８；固定部材、８５ａ；頭部、Ｓ、Ｓ１、Ｓ２；太陽光パネル、Ｓａ；太陽光パネルの端部
【図１】
2015151776.tif 000003
【図２】
2015151776.tif 000004
【図３】
2015151776.tif 000005
【図４】
2015151776.tif 000006
【図５】
2015151776.tif 000007
【図６】
2015151776.tif 000008
【図７】
2015151776.tif 000009
【図８】
2015151776.tif 000010
【図９】
2015151776.tif 000011
【図１０】
2015151776.tif 000012
【図１１】
2015151776.tif 000013
【図１２】
2015151776.tif 000014